(57)【要約】【課題】  体積が小さく、手持ちに適し、且つ大量のグラフィックを順調にビューイングできる、ポータブル・グラフィック・ビューイング・デバイスを提供する。【解決手段】  内部に収納空間が形成され、複数のボタン１２が配置され、且つ適所に観覧窓１４が配置される、ケーシング１０と、前記収納空間内に配置されると共に、観覧窓１４に正しく向かうように配置されるマイクロ・ディスプレイ２０と、ケーシング１０の収納空間内に配置され、複数のボタン同士１２とマイクロ・ディスプレイ２０と電気的に接続され、マイクロ・ディスプレイ２０を駆動してそのグラフィック資料を表示させるように作用する電気回路基板とを備える。【選択図】      図３
0003102670.tif 000002
【実用新案登録請求の範囲】
【請求項１】
手で持って少なくとも一つのグラフィック資料を観覧できるポータブル・グラフィック・ビューイング・デバイスにおいて、
内部に収納空間が形成され、複数のボタンが配置され、且つ適所に少なくとも一つの観覧窓が配置される、ケーシングと、
前記収納空間内に配置されると共に、前記観覧窓に正しく向かうように配置される少なくとも一つのマイクロ・ディスプレイと、
前記ケーシングの収納空間内に配置され、前記複数のボタン同士と前記マイクロ・ディスプレイと電気的に接続され、前記マイクロ・ディスプレイを駆動してそのグラフィック資料を表示させるように作用できる、少なくとも一枚の電気回路基板とを備えていることを特徴とするポータブル・グラフィック・ビューイング・デバイス。
【請求項２】
前記ボタン同士が指に握持箇所に配置され、指によって機能性の操作を実行できるようにしたことを特徴とする請求項１に記載のポータブル・グラフィック・ビューイング・デバイス。
【請求項３】
前記観覧窓内に少なくとも一枚の透明ガラスが配置されることを特徴とする請求項１に記載のポータブル・グラフィック・ビューイング・デバイス。
【請求項４】
前記透明ガラスとしてレンズを採用することを特徴とする請求項３に記載のポータブル・グラフィック・ビューイング・デバイス。
【請求項５】
さらに調整部を有し、それが前記観覧窓の外側に配置され、その観覧窓の前記マイクロ・ディスプレイを観覧するフォーカス距離を調整する用途に使用されることを特徴とする請求項１に記載のポータブル・グラフィック・ビューイング・デバイス。
【請求項６】
前記マイクロ・ディスプレイとしてＬＣＤを採用することを特徴とする請求項１に記載のポータブル・グラフィック・ビューイング・デバイス。
【請求項７】
前記マイクロ・ディスプレイとしてＬＣＯＳを採用することを特徴とする請求項１に記載のポータブル・グラフィック・ビューイング・デバイス。
【請求項８】
前記電気回路基板には、前記グラフィック資料を保存するためのメモリ装置がビルト・インされることを特徴とする請求項１に記載のポータブル・グラフィック・ビューイング・デバイス。
【請求項９】
前記ケーシングには、さらにメモリカード装置が配置され、当該メモリカード装置が前記電気回路基板に電気的に接続され、メモリカードよりグラフィック資料をアクセスできることを特徴とする請求項１に記載のポータブル・グラフィック・ビューイング・デバイス。
【請求項１０】
さらにコンピュータ接続ポートを有し、それがケーシングの外側の適所に配置され、接続コードを介してコンピュータ装置と接続できることを特徴とする請求項１に記載のポータブル・グラフィック・ビューイング・デバイス。
【請求項１１】
前記コンピュータ接続ポートとしてＵＳＢポートを採用できることを特徴とする請求項１０に記載のポータブル・グラフィック・ビューイング・デバイス。
【請求項１２】
前記コンピュータ接続ポートとしてＩＥＥＥ１３９４ポートを採用できることを特徴とする請求項１０に記載のポータブル・グラフィック・ビューイング・デバイス。
【請求項１３】
前記ポータブル・グラフィック・ビューイング・デバイスとコンピュータとにそれぞれ無線送受信手段を配置し、それらによってグラフィック資料の無線アクセスを実行することを特徴とする請求項１に記載のポータブル・グラフィック・ビューイング・デバイス。
【請求項１４】
前記無線送受信装置としてブルー・ツース装置を採用することを特徴とする請求項１３に記載のポータブル・グラフィック・ビューイング・デバイス。
【考案の詳細な説明】
【技術分野】
【０００１】
本考案は、ポータブル・グラフィック・ビューイング・デバイスに係わり、特にマイクロ・ディスプレイによってデジタル医療グラフィックをビューイングするためのデバイスに関するものであり、それはポータブル可能な外形を提供することによって使用者の携帯の利便性を向上すると共に、そのケーシングの外側に複数の操作ボタンが配置され、操作の利便性をも向上できる。
【背景技術】
【０００２】
ある疾病がレントゲン写真を取る必要があり、また、ある疾病が断層走査映像などを取って、患部の細部のグラフィックをビューイングすることによって病状を診断する依拠とする必要があり、入院診療段階では、医療人員が病室のケースを一個一個ビューイングする場合、患者がたくさんいるため、すべての患者のチェック・グラフィックを全部揃えて持つことが大変なことになり、そのため、病室をビューイングする前に、さきにすべての患者の患部のグラフィックをビューイングしなければならず、且つ患者の病状を記録しなければならないので、その用意の仕事が大した時間がかかり、且つ現場では、グラフィックを参照できないため、患者と他の医療人員と、突発事件に対して検討や解釈などを実行できず、患者達とのインターアクト・チャンスが減少されることがあり、判断し違ったリスクを助長することがある。
【０００３】
現今では、大部分のグラフィックがデジタル化されており、もし、先にデジタル化情報を記憶メディアに記憶しておけば、また、現場でノートブック・タイプ・コンピュータを操作すれば、理論的にはその利便性を有するが、そのノートブック・タイプ・コンピュータが全過程でスイッチオンする必要があり、且つ繰り返して表示器を開閉する必要があり、且つその装置本体が重いので、医療人員がそのような作法を採用したがらなくなる場合がある。
【０００４】
そのため、如何にして前記の問題に対応して一種の新規なポータブル・グラフィック・ビューイング・デバイスを提供することによって、前記の大量のレントゲン写真を携帯する必要がある欠点を改善するかは、常に使用者の深刻に望む願望であった。
【考案の開示】
【考案が解決しようとする課題】
【０００５】
本考案は、体積が小さく、手持ちに適し、且つ大量のグラフィックを順調にビューイングできる、“ポータブル・グラフィック・ビューイング・デバイス”を提供することをその主要な解決しようとする課題とする。
【課題を解決するための手段】
【０００６】
本考案は、前記の目的を図るために、ポータブル・ケーシングを有し、そのケーシングの内部にマイクロ・ディスプレイを取り付け、そのマイクロ・ディスプレイより直接的に医療グラフィックをビューイングでき、且つポータブル・ケーシングの人体工学設計によって携帯の利便性を向上し、また、そのケーシングの上方に複数の操作用ボタン同士を設けることによって片手で操作可能にすることを特徴とする、ポータブル・グラフィック・ビューイング・デバイスを提供する。
【０００７】
また、本考案は、ケーシングに観覧窓を配置し、且つその観覧窓の外部に調整部を設け、それによって観覧窓とマイクロ・ディスプレイとのフォーカス距離を調整することを特徴とする、ポータブル・グラフィック・ビューイング・デバイスを提供することをその次の目的とする。
【０００８】
また、本考案は、メモリ装置を有し、それがビルト・インまたは外部接続の方式によって前記グラフィック・ビューイング・デバイスに設けられ、それによって医療グラフィックの情報のソースを提供し、また、コンピュータ接続ポートを介してコンピュータと接続可能にすることによって直接的にコンピュータより所要するグラフィック情報をダウンロード可能にすることを特徴とする、ポータブル・グラフィック・ビューイング・デバイスを提供することをその他の目的とする。
【考案を実施するための最良の形態】
【０００９】
本考案の構成特徴とその達成しようとする効果をさらに解明するために、以下に添付図面を参照しながら本考案の優れる実施の形態を詳細的で具体的に説明するが、それらの説明による具体的な構造は単に説明に供するものであり、本考案を狭義的に定義するものではないことは言うまでもない。
【００１０】
本考案は、従来技術の課題、即ち、医者がレントゲン写真を持って、病室をビューイングし、病状の参考に供するようにし、デジタル化したレントゲン写真のグラフィック資料をコンピュータ内に記憶し、コンピュータが体積が過大で且つ重いなどの課題を解消しようとする考案である。本考案のポータブル・グラフィック・ビューイング・デバイスによる場合、直接レントゲン写真のグラフィック情報をポータブル・グラフィック・ビューイング・デバイスに記憶でき、携帯と観覧に便利である効果を提供できる。
【００１１】
図１乃至図３は、それぞれ本考案の好適な実施の形態のＬＣＯＳをマイクロ・ディスプレイとする場合を示す説明図と断面図と分解説明図である。
【００１２】
前記のそれらの図面に示すように、本考案によるポータブル・グラフィック・ビューイング・デバイスには、ケーシング１０と、マイクロ・ディスプレイ２０と、複数のボタン１２とを有し、その中、ケーシング２０には第一ケーシング１１０と第二ケーシング１１２を備えており、ケーシング１０がポータブルの形式に形成され、人体工学に該当する形状に考案され、携帯と握持に便利であり、その内部には収納空間が形成され、複数のボタン同士１２が前記指の握り箇所に配置され、機能性の操作に利するように考案したものであり、例えば、次のグラフィックへスクロールし、または快速的表示などの機能を有するように設定されるものであり、複数のボタン同士１２が第一の電気回路基板１２２に電気的に接続され、第一電気回路基板１２２がマイクロ・ディスプレイ２０と電気的に接続され、マイクロ・ディスプレイ２０がケーシング１０の収納空間内に収納される。
【００１３】
また、ケーシング１０には観覧窓１４が設けられ、その観覧窓１４内に少なくとも一つの透明ガラスやレンジが配置され、その外側に調節部１６が設けられ、それによって観覧窓１４よりマイクロ・ディスプレイ２０を観覧する場合のフォーカス距離を調整でき、その観覧まで１４より片目でマイクロ・ディスプレイ２０を観覧できる。本考案は、医療人員に病室をビューイングする際に要するレントゲン写真のグラフィック資料を提供できるが、従来ではレントゲン写真をデジタル化するテクニックが既に存在しているので、そのデジタル化のテクニックが本考案のポイントではなく、余分な解説を省略する。ポータブル・グラフィック・ビューイング・デバイス１のビルト・インしたメモリ装置５０を介してレントゲン写真のグラフィック資料をポータブル・グラフィック・ビューイング・デバイス１内のそのメモリ装置５０に記憶できる。
【００１４】
また、本考案のポータブル・グラフィック・ビューイング・デバイス１のケーシングにもメモリカード装置が配置され、当該メモリカード装置が前記電気回路基板に電気的に接続され、メモリカードよりグラフィック資料をアクセスでき、本考案のポータブル・グラフィック・ビューイング・デバイス１による場合、気軽に大量のレントゲン写真のグラフィック資料を保存携帯でき、非常に便利である。
【００１５】
また、本考案によるポータブル・グラフィック・ビューイング・デバイス１には、コンピュータ接続ポート、例えばＵＳＢ接続ポート３０またはＩＥＥＥ１３９４接続ポート４０を有し、コードを介してコンピュータと接続すると、グラフィック資料のアクセスを実行可能になり、もちろん、現在では、無電送受信の技術がますます普遍化されてゆくので、例えばブルー・ツースなどを利用して本考案とコンピュータとにそれぞれ無線送受信手段を配置し、それらによってコードを不要なまま、グラフィック資料のアクセスを実行でき、本考案は、資料の送受信手段については特別な制限はないことが言うまでもない。
【００１６】
また、メモリ装置５０が第二電気回路５２と接続しあい、電気回路５２がまたマイクロ・ディスプレイ２０と接続し、マイクロ・ディスプレイ２０の形態については、いずれの種類の表示装置を利用でき、例えば、ＬＥＤまたはＬＣＯＳなどを利用でき、前記ＬＣＯＳが高解像度の表示装置であるので、本考案にそのような装置を導入したほうが他の装置を導入することよりずっと好ましくなる。また、ＬＣＯＳディスプレイが消費電力が低く、低コストの装置であるので、本考案のポータブル・グラフィック・ビューイング・デバイス１に利用することが好適である。
【００１７】
図４は本考案の優れる実施の形態のＬＣＯＳディスプレイ装置を示す説明図である。図４に示すように、ＬＣＯＳ（Ｌｉｑｕｉｄ  Ｃｒｙｓｔａｌ  ｏｎ  Ｓｉｌｃｏｎ）装置が新世代の反射式マイクロＬＣＤ投影技術であり、その構造は、シリコン・ウェアにトランジスタを成長し、半導体製造プロセスによって駆動パネル（ＣＭＯＳ  ＬＣＤとも称す）をつくり、それからトランジスタに研磨をし、また、アルミニウムをメッキして反射鏡とし、ＣＭＯＳ基板を形成し、それからＣＭＯＳ基板と透明電極を有する上部ガラス基板とを貼り付け、また、液晶を導入する。光源１００がレンズ１１０を透過する場合に、前記光線の進行がまた反射鏡１２０を介して光線をＬＣＯＳイメージ・チップ１３０に反射し、この時、光線がまたＬＣＯＳイメージ・チップ１３０より凸レンズ１４０に反射する。
【００１８】
最後に、図５に示すのは、本考案の好適な実施の形態の表示するグラフィックの場合を示すブロック図である。その図面に示すように、あるマイクロプロセッサー２００がＡ／Ｄコンバータ２３０を接続し、電源をプログラマブル・ロジック・デバイス２４０とマイクロ・ディスプレイ２６０に供給し、マイクロプロセッサー２００はＬＥＤコントローラ２１０を介してＬＥＤ２２０とボルテージ・ディバイダー２５０をコントロールすることによって、マイクロ・ディスプレイ２６０よりイメージをディスプレイし、その一般の使用状態は図６に示すようである。
【産業上の利用可能性】
【００１９】
本考案は、一種の携帯に便利的で、人体工学に該当する、ポータブル・グラフィック・ビューイング・デバイスを提供し、当該デバイスは片手で操作でき、その機能性ボタンがすべて指の握る箇所に集中し、例えば、次のグラフィックへの機能や快速サーチングや快速表示などの機能を揃えており、また、そのディスプレイ装置にメモリ装置をビルト・インまたは外部より接続でき、グラフィック資料を記憶保存でき、また、有線または無線などの方式によってコンピュータ装置と接続することによりグラフィック資料の保存またはダウンロードを実行でき、また、本考案は、複数台リンキングして教学やイメージをシェア観覧することができ、また、本考案は、マイクロ・ディスプレイによってイメージをディスプレイするが、そのマイクロ・ディスクプレイには、いずれの種類のマイクロ・ディスプレイを採用でき、使用者のニーズに応じて適当な解像度を有するディスプレイ装置を採用できるが、その中、ＬＣＤまたは高解像度のＬＣＯＳを採用したほうが好ましくなる。
【００２０】
また、前記具体的な構成は、本考案のある実施可能な実施の形態に過ぎず、本考案の実施範囲を制限するものではなく、いずれの本考案の明細書と図面に開示される要旨に基づいて実施される同様な効果を有する改造や変更や一部転用などがすべて本考案の主張範囲内に納入されるべきことは言うまでもない。
【図面の簡単な説明】
【００２１】
【図１】本考案のポータブル・グラフィック・ビューイング・デバイスを示す外見斜視図である。
【図２】本考案のマイクロ・ディスプレイを示す断面図である。
【図３】本考案のマイクロ・ディスプレイを示す分解斜視図である。
【図４】本考案の好適な実施の形態のＬＣＯＳマイクロ・ディスプレイを示す説明図である。
【図５】本考案の好適な実施の形態のマイクロ・ディスプレイの電気回路を示すブロック図である。
【図６】本考案の使用状態を示す説明図である。
【符号の説明】
【００２２】
１      ポータブル・グラフィック・ビューイング・デバイス
１０    ケーシング
１２    ボタン
１４    観覧窓
１６    調節部
２０    マイクロ・ディスプレイ
３０    ＵＳＢ接続ポート
４０    ＩＥＥＥ  １３９４接続ポート
５０    メモリ装置
５２    第二電気回路基板
１００  光源
１１０  第一ケーシング、レンズ
１１２  第二ケーシング
１２０  ＬＣＯＳイメージ・チップ
１２２  第一電気回路基板
１３０  反射鏡
１４０  凸レンズ
２００  マイクロプロセッサー
２１０  ＬＥＤコントローラ
２２０  ＬＥＤ
２３０  ＡＣ／ＤＣコンバータ
２４０  プログラマブル・ロジック・デバイス
２５０  ボルテージ・ディバイダー
２６０  マイクロ・ディスプレイ
【図１】
0003102670.tif 000003
【図２】
0003102670.tif 000004
【図３】
0003102670.tif 000005
【図４】
0003102670.tif 000006
【図５】
0003102670.tif 000007
【図６】
0003102670.tif 000008